(57)【要約】【課題】トラベルケースの引き棒用のハンドル構造を提供する。【解決手段】引き棒はトラベルケース上で伸縮して滑動する棒部、及び棒部に結合されるハンドルを有し、ハンドルにはボタンが設置され、ボタンは引き棒を制御させてハンドルを弾力で引き出し伸長させて開閉させるのに用いられる。本発明はトラベルケースの引き棒のハンドル周縁にはハンドルカバーが周設され、ハンドルカバーのハンドル押し部には圧下空間を有する。ハンドルカバーにより保護され、外力により引き棒のハンドルのボタンが誤って押されて引き棒のハンドルが自動的に弾力により引き出されて伸長するのを防ぐ。ユーザーは指を圧下空間に直接進入させ、ロックを外さずともすぐにボタンを押せ、より迅速に使用可能になる。【選択図】図４
2015173953.tif 000002
【特許請求の範囲】
【請求項１】
引き棒にトラベルケース上で伸縮して滑動する棒部を有する、トラベルケースの引き棒用のハンドル構造であって、
２つの制御構造で構成され、各制御構造は回転支点を軸心として固着部材に枢設される作動部材を備え、前記作動部材の前記回転支点の二側には押し部及び反応部をそれぞれ有するハンドルと、
前記ハンドルの周縁に周設され、前記ハンドルの押し部には圧下空間が周設され、前記圧下空間には開口を有するハンドルカバーと、
応力端及び延出部で構成され、前記応力端は前記ハンドルカバーに内設されると共に前記反応部に連結され、前記延出部は前記ハンドルカバーから延出される差し錠部材と、
一端には前記差し錠部材の延出部が納置されると共に前記ハンドルカバーに固設され、他端は前記トラベルケースの棒部に固設される接合構造を備え、
前記押し部が一方向への力を受けると、作動部材の反応部は前記方向の反対方向に変位されると共に前記差し錠部材を押し、前記延出部が前記トラベルケースの棒部に向け変位されることを特徴とする、
トラベルケースの引き棒用のハンドル構造。
【請求項２】
前記固着部材は第一カバー及び第二カバーが相互に結合されることにより構成され、各作動部材は前記第一カバーに枢設されることを特徴とする、請求項１に記載のトラベルケースの引き棒用のハンドル構造。
【請求項３】
前記作動部材は細長い弧形構造を呈し、前記反応部は前記作動部材の一端の末端であり、前記押し部は前記作動部材の他端に枢設されるボタンであることを特徴とする、請求項２に記載のトラベルケースの引き棒用のハンドル構造。
【請求項４】
前記押し部には第一弾性部材が更に設置され、前記第一カバーの前記押し部に近接する箇所には肋材が更に成型され、前記第一弾性部材の一端は前記押し部に結合され、他端は前記第一カバーの肋材に当接され、前記押し部が受力すると前記第一弾性部材には彈性位置エネルギーが蓄積され、前記押し部が受力していない場合彈性位置エネルギーが開放されて前記押し部を初期位置に復帰させることを特徴とする、請求項３に記載のトラベルケースの引き棒用のハンドル構造。
【請求項５】
前記接合構造は固設部材及び前記固設部材に枢設されるヒンジ部材で構成され、前記接合構造の前記固設部材の一端が前記ハンドルカバーに固設され、且つ前記ヒンジ部材の一端が前記トラベルケースの棒部に固設されることを特徴とする、請求項１に記載のトラベルケースの引き棒用のハンドル構造。
【請求項６】
前記固設部材の他端には複数の位置決め溝が成型され、前記ヒンジ部材の中央には収納溝が開設され、前記収納溝には第二弾性部材及び固定部材が内設され、前記第二弾性部材の一端は前記収納溝の底部に設けられ、他端は前記固定部材の一端に連結され、前記固定部材の他端には位置決めピン及びストッパーが成型され、前記位置決めピンは前記位置決め溝に内設され、前記差し錠部材の延出部は前記ストッパーに近接して設置されることを特徴とする、請求項５に記載のトラベルケースの引き棒用のハンドル構造。
【発明の詳細な説明】
【技術分野】
【０００１】
本発明は、引き棒のハンドル上に、引き棒を制御しハンドルを弾力により引き出させ、伸長させて開閉するのに用いられるボタンが設けられる、ハンドル構造に関する。
【背景技術】
【０００２】
図１に示す従来のトラベルケースのように、トラベルケース１０は引き棒１１を有し、引き棒１１にはトラベルケース上で伸縮して滑動する棒部１２、及び棒部１２の末端に固設されるハンドル１３を有し、引き棒１１のハンドル１３にはボタン１４が設けられる。
【０００３】
ユーザーがトラベルケースを一時的に留め置く場合、引き棒１１の棒部１２を滑動させてトラベルケース１０に収納し係止させて定位させることで静置にかかる時間と空間を節約し、また衝撃を受けて引き棒１１が断裂するのも回避させる。ユーザーが引き棒１１の棒部１２をトラベルケース１０中から引き出してボタン１４を押すと、引き棒１１は弾力により自動的に引き出されて伸長し、ユーザーはこれを引いて使用する。
【発明の概要】
【発明が解決しようとする課題】
【０００４】
しかしながら、前述した従来のトラベルケースでは、受け渡しの際に引き棒を収納して引き棒が衝撃を受けて断裂しないようにするが、トラベルケースの引き棒は受け渡しの際に誤ってボタンが押され、引き棒が弾力により自動的に引き出されて伸長し、断裂を引き起こすといった問題があった。
【０００５】
そこで、本発明者は上記の欠点が改善可能と考え、鋭意検討を重ねた結果、合理的かつ効果的に課題を改善する本発明の提案に到った。
【０００６】
本発明は、このような従来の問題に鑑みてなされたものである。上記課題解決のため、本発明は、トラベルケースの引き棒用のハンドル構造を提供することを主目的とする。すなわち、トラベルケースの受け渡し時に引き棒のハンドルのボタンが誤って押され、収納された引き棒のハンドルが弾力により自動的に引き出されて伸長するのを防止する。
【課題を解決するための手段】
【０００７】
上述した課題を解決し、目的を達成するために、本発明に係るトラベルケースの引き棒用のハンドル構造は、引き棒に前記トラベルケース上で伸縮して滑動する棒部を有し、２つの制御構造で構成され、各制御構造は回転支点を軸心として固着部材に枢設される作動部材を備え、前記作動部材の前記回転支点の二側には押し部及び反応部をそれぞれ有するハンドルと、前記ハンドルの周縁に周設され、前記ハンドルの押し部には圧下空間が周設され、前記圧下空間のそれには開口を有するハンドルカバーと、応力端及び延出部で構成され、前記応力端は前記ハンドルカバーに内設されると共に前記反応部に連結され、前記延出部は前記ハンドルカバーから延出される差し錠部材と、一端には前記差し錠部材の延出部が納置されると共に前記ハンドルカバーに固設され、他端は前記トラベルケースの棒部に固設される接合構造を備え、前記押し部が一方向への力を受けると、作動部材の反応部は前記方の反対方向に変位されると共に前記差し錠部材を押し、前記延出部が前記トラベルケースの棒部に向け変位することを特徴とする。
【発明の効果】
【０００８】
本発明によれば、トラベルケースの引き棒のハンドル周縁にはハンドルカバーが周設され、ハンドルカバーのハンドルの押し部には圧下空間を有する。これによりハンドルカバーが保護され、外力により引き棒のハンドルのボタンが誤って押され、収納された引き棒のハンドルが自動的に弾力により引き出されて伸長されるのを防ぐ。このほか、ユーザーは指を圧下空間に直接進入させ、ロックを外さずともボタンを押せるため、より迅速に使用可能になる。
【図面の簡単な説明】
【０００９】
【図１】従来のトラベルケース及びその引き棒を説明する概略模式図である。
【図２】本発明の一実施形態に係るトラベルケースの引き棒用のハンドル構造を示す傾斜図である。
【図３】本発明の一実施形態に係るトラベルケースの引き棒用のハンドル構造を示す傾斜の分解図である。
【図４】本発明の一実施形態に係るトラベルケースの引き棒用のハンドル構造を示す断面模式図である。
【図５】図４の、ボタンを押した状態を示す概略図である。
【図６Ａ】本発明の一実施形態の接合構造の、最初の状態を示す外観図である。
【図６Ｂ】図６Ａで、差し錠の応力端が反応部の力を受けた状態を示す外観図である。
【図６Ｃ】図６Ｂで、結合構造のヒンジ部材が固設部材のヒンジ部材に対応した状態を示す外観図である。
【図７】本発明の一実施形態を示す使用状態図である。
【発明を実施するための形態】
【００１０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１１】
（一実施形態）
以下、一実施形態を図１〜７に基づいて説明する。なお、この好ましい実施形態では、引き棒はトラベルケース７０上で伸縮して滑動する棒部７１を有する。ハンドル構造は、ハンドル２、ハンドルカバー３０、差し錠部材４０、及び接合構造５０を備える（図２乃至図４参照）。
ハンドル２は２つの制御構造２０Ａ及び制御構造２０Ｂで構成される。各制御構造２０Ａ及び制御構造２０Ｂは回転支点２２を軸心に固着部材２３に枢設される作動部材２１を均しく備える。本実施形態では、固着部材２３は第一カバー２３１及び第二カバー２３２が相互に結合されることで構成されると共に部材が納置される空間２３３が周設され、各作動部材２１は第一カバー２３１に枢設されると共に空間２３３内に納置される。より詳しくは、各作動部材２１は栓体２４を回転支点２２として、作動部材２１は回転支点２２の二側に押し部２１１及び反応部２１２をそれぞれ有し、作動部材２１は細い弧形構造を呈し、反応部２１２は作動部材２１の一端の末端であり、押し部２１１は作動部材２１の他端に枢設されるボタンである。
このほか、押し部２１１には第一弾性部材２５が更に設置され、第一カバー２３１の押し部２１１に近接する箇所には肋材２３４が更に成型され、第一弾性部材２５の一端は押し部２１１に結合され、他端は第一カバー２３１の肋材２３４に当接される。押し部２１１が受力すると第一弾性部材２５には彈性位置エネルギーが蓄積され、押し部２１１が受力していない場合彈性位置エネルギーが解放されて押し部２１１が初期位置に復帰される。
【００１２】
また、ハンドルカバー３０はハンドル２の周縁に周設され、ハンドル２の押し部２１１には圧下空間３１が周設され、圧下空間３１のハンドルカバー３０には開口を有する。
本実施形態によると、ハンドルカバー３０は複数の肋部３２により固着部材２３の第一カバー２３１、及び第二カバー２３２の複数の凹部２６１並びに凹部２６２にそれぞれ内設されると共にハンドル２の周縁に固設される。
【００１３】
差し錠部材４０は応力端４１及び延出部４２で構成され、応力端４１はハンドル２の固着部材２３の空間２３３に内設されると共に反応部２１２に連結され、延出部４２はハンドルカバー３０から延出される。実施形態での応力端４１は平面構造であり、反応部２１２に近接して設置される。
【００１４】
接合構造５０の一端には差し錠部材４０の延出部４２が納置されると共にハンドルカバー３０に固設され、他端はトラベルケース７０の棒部７１に固設される。接合構造５０は固設部材５１及び固設部材５１に枢設されるヒンジ部材５２で構成され、固設部材５１とヒンジ部材５２との間は係止部材５５により係止されて固定され、ヒンジ部材５２は２本のボルト５２２によりトラベルケース７０に螺設される。ヒンジ部材５２のトラベルケースへの固設方式は従来の技術によるものであるため、本案の創作の重点ではなく、故に詳述は省略する。
接合構造５０は固設部材５１の一端によりハンドルカバー３０に固設され、ヒンジ部材５２の一端によりトラベルケース７０の棒部７１に固設される。固設部材５１の他端には複数の位置決め溝５１１が成型され、ヒンジ部材５２の中央には収納溝５２１が開設され、収納溝５２１には第二弾性部材５３及び固定部材５４が内設され、第二弾性部材５３の一端は収納溝５２１の底部に設けられ、他端は固定部材５４の一端に連結される。
固定部材５４の他端には位置決めピン５４１及びストッパー５４２が成型され、位置決めピン５４１は位置決め溝５１１に内設され、差し錠部材４０の延出部４２は係止部材５５及び固設部材５１に延設されると共にストッパー５４２に近接して設置される。
【００１５】
押し部２１１が一方向への力を受けると、作動部材２１の反応部２１２は反対方向に変位され、差し錠部材４０が押され、延出部４２がトラベルケースの棒部に向け変位する。
【００１６】
図５及び図２乃至図４によれば、ユーザーが指をハンドルカバー３０の圧下空間３１に進入させて押し部２１１を押すと、押し部２１１が上に向け変位されると共に第一弾性部材２５には弾性位置エネルギーが蓄積され、同時に作動部材２１を連動させて栓体２４を支点に回転させる。
作動部材２１の反応部２１２が下に向け変位することで差し錠部材４０の応力端４１に対し下へ向けた力が加わり、これにより、差し錠部材４０の延出部４２により固定部材５４が下に向け変位されると同時にトラベルケース７０の棒部７１のロック作用が解除され、棒部７１が下に向け収縮されるか上に向け伸出される。
固定部材５４が下に向け変位されることでトラベルケース７０の棒部７１のロック作用が解除される技術は従来の技術であるため、詳述は省く。ユーザーの指が押し部２１１から離れると、第一弾性部材２５の弾性位置エネルギーが解放されて押し部２１１を初期位置に復帰させる。
【００１７】
本発明の制御構造２０は一対として設計されるため、ユーザー左右の手のどちらでも何れか１つの制御構造２０をスムーズに操作可能である。
【００１８】
本発明のトラベルケース７０のハンドル２の周縁にはハンドルカバー３０が周設され、ハンドルカバー３０のハンドル２の押し部２１１には圧下空間３１を有する。ハンドルカバー３０により保護され、外力によりハンドル２の押し部２１１が誤って押されて収納されたハンドル２及び棒部７１が自動的に弾力により引き出されて伸長するのを防止させる。このほか、ユーザーは指を圧下空間３１に直接進入させて制御構造２０を操作できるため、ロックを外さずとも押し部２１１を押せ、操作が相当迅速化する。
【００１９】
本発明の固設部材５１はヒンジ部材５２に対し枢動し、ユーザーは手で快適な角度でトラベルケース７０を引く事ができ、初期状態では図６Ａに示すようになる。実際の使用では図６Ｂに示すように、ユーザーは先ず押し部２１１を押すと、差し錠部材４０の延出部４２が下に向け変位され、固定部材５４のストッパー５４２が当接されることで固定部材５４が連動されて下に向け変位され、固定部材５４の位置決めピン５４１が位置決め溝５１１から離脱し、第二弾性部材５３に弾性位置エネルギーが蓄積される。
この場合は、図６Ｃに示すように、ユーザーは固設部材５１をヒンジ部材５２に対し枢動させて手のポジションを調整させる。角度を調整した後にユーザーが押し部２１１を離すと、第二弾性部材５３の弾性位置エネルギーが解放されて固定部材５４の位置決めピン５４１が位置決め溝５１１に内設される。
【００２０】
本発明の引き棒のハンドルは以下の長所を有する（図７参照）。
１．ハンドルカバーにより押し部が保護されて、外力により引き棒のハンドルのボタンが誤って押されて収納された引き棒のハンドルが自動的に弾力により引き出されて伸長するのを防止させる。
２．角度を調整することでハンドル及びトラベルケース間に加えられる力の角度が変わり、ユーザーが力を入れやすい角度でトラベルケースを引ける。
３．トラベルケースのハンドルは一対の制御構造を有するため、ユーザーは左右の手どちらでもスムーズに使える。
【００２１】
以上、本発明の実施形態について図面を参照して詳述したが、具体的な構成はこの実施形態に限られるものではなく、本発明の要旨を逸脱しない範囲の設計変更等も含まれる。
【符号の説明】
【００２２】
１０    トラベルケース
１１    引き棒
１２    棒部
１３    ハンドル
１４    ボタン
２      ハンドル
２０Ａ  制御構造
２０Ｂ  制御構造
２１    作動部材
２１１  押し部
２１２  反応部
２２    回転支点
２３    固着部材
２３１  第一カバー
２３２  第二カバー
２３３  空間
２３４  肋材
２４    栓体
２５    第一弾性部材
２６１  凹部
２６２  凹部
３０    ハンドルカバー
３１    圧下空間
３２    肋部
４０    差し錠部材
４１    応力端
４２    延出部
５０    接合構造
５１    固設部材
５１１  位置決め溝
５２    ヒンジ部材
５２１  収納溝
５２２  ボルト
５３    第二弾性部材
５４    固定部材
５４１  位置決めピン
５４２  ストッパー
５５    係止部材
７０    トラベルケース
７１    棒部
【図１】
2015173953.tif 000003
【図２】
2015173953.tif 000004
【図３】
2015173953.tif 000005
【図４】
2015173953.tif 000006
【図５】
2015173953.tif 000007
【図６Ａ】
2015173953.tif 000008
【図６Ｂ】
2015173953.tif 000009
【図６Ｃ】
2015173953.tif 000010
【図７】
2015173953.tif 000011